(57)【特許請求の範囲】
【請求項１】
スケジュールに関する情報と、視聴又は聴取したい放送番組に関する情報とを記憶し、
上記スケジュールに関する情報で示される予定のある時間と、上記放送番組に関する情報で示される放送時間とが重なるとき、その放送時間が重なる番組の記録予約情報を生成させ、生成された記録予約情報により、上記放送番組の記録を実行させる記録予約方法であり、
上記スケジュールに関する情報で示される予定のある時間には、その予定のある時間の前又は後に、所定の時間を付加するようにし、
その所定の時間が付加された時間と、上記放送番組に関する情報で示される放送時間とが重なるとき、その放送時間が重なる番組の記録予約情報を生成させるようにした
記録予約方法。
【請求項２】
請求項１記載の記録予約方法において、
上記付加される時間は、上記スケジュールで示される場所と、上記放送番組記録手段が設置された場所との間の移動に要する時間から推定される時間とした
記録予約方法。
【請求項３】
スケジュールを記憶又は受信するスケジュール処理手段と、
視聴又は聴取したい放送番組の放送時間に関する情報を記憶する番組情報記憶手段と、
上記スケジュール処理手段が記憶又は受信したスケジュールの予定のある時間と、上記番組情報記憶手段に記憶された番組の放送時間との重なりを判断したとき、その重なる番組の記録予約情報を生成させる制御手段とを備えたスケジュール管理装置であり、
上記制御手段は、上記スケジュール処理手段が記憶又は受信したスケジュールの予定のある時間の前又は後に、所定の時間を付加し、その所定の時間が付加された時間と、上記放送番組に関する情報で示される放送時間との重なりを判断したとき、その放送時間が重なる番組の記録予約情報を生成させる
スケジュール管理装置。
【請求項４】
請求項３記載のスケジュール管理装置において、
上記制御手段は、上記所定の時間として、該当するスケジュールで示される場所と、上記放送番組記録手段が設置された場所との間の移動に要する時間から推定される時間に設定するようにした
スケジュール管理装置。
【発明の詳細な説明】
【０００１】
【発明の属する技術分野】
本発明は、例えばＰＤＡ（Personal Digital Assistants ）等と称される携帯情報端末を使用して放送番組の記録予約を行う場合に好適な記録予約方法、及びその記録予約を行うスケジュール管理装置に関する。
【０００２】
【従来の技術】
従来、液晶ディスプレイなどの表示パネルを備えた携帯可能な比較的小型の電子機器が各種開発されている。例えば、ＰＤＡと称される携帯情報端末の場合には、画面の対角線の長さが十数cm前後の比較的小型の表示パネルを備えて、その表示パネルに各種情報を表示させることが可能である。
【０００３】
このような装置が備える機能の１つとして、スケジュールの管理機能がある。
即ち、この携帯情報端末を所持するユーザのスケジュールを記憶して、スケジュール表示モードを設定したとき、記憶したスケジュールを日時順に一覧で表示させるようにしたものである。例えば、会社での会議の予定や、友人などとの会合の予定などを入力することで、それらの予定が一覧として表示されるものである。
【０００４】
【発明が解決しようとする課題】
ところで、従来のこの種の情報端末を使用したスケジュール管理では、単に予定を入力させて、その予定を表示させるだけであり、いわゆる手帳にスケジュールを記入する代わりであり、予定の管理はユーザの注意に頼っていた。
【０００５】
例えば、このような情報端末のスケジュール管理機能を利用して、ユーザが視聴したいテレビ放送の番組を、その番組の放送日時などと共に入力させることが考えられる。ところが、このようにスケジュールとしてテレビ番組の視聴予定を入力させたとしても、単にスケジュールの一覧に視聴予定の番組が表示されるだけであり、端末が記憶したスケジュールに連動した視聴そのものの管理は困難である。
【０００６】
一方、テレビ放送番組を記録する装置として、ビデオテープレコーダ（ＶＴＲ）や、ハードディスクレコーダなどの番組記録装置が各種実用化されている。このような記録装置を使用すれば、視聴したい番組の放送時間に、別のスケジュールがある場合でも、該当する番組を記録しておき、後で見ることが可能である。ところが、このような記録装置で記録するためには、番組の放送日時や放送されるチャンネルなどを入力する予約操作が必要であり、ユーザがそのときのスケジュールに合わせて予約操作を行う必要があった。例えば、情報端末のスケジュール一覧に表示されるスケジュールを見て、視聴したい番組が放送される時間に、帰宅できない予定があるとき、その時間の番組の録画予約操作を行う必要がある。
【０００７】
このようなユーザの手作業に頼った予約操作では、操作間違いが起こることも多々あり、また録画予約そのものを忘れてしまう可能性もあり、携帯情報端末に入力させたスケジュールが生かされない問題があった。さらに、一度録画予約した後に、スケジュールの変更が発生して、録画する必要がなくなった場合でも、ユーザが録画予約を解除する操作をしない限りは、該当する番組が録画されてしまう問題があった。
【０００８】
本発明はかかる状況に鑑みてなされたものであり、スケジュールの管理と放送番組の記録とが効率良く行えるようにすることを目的とする。
【０００９】
【課題を解決するための手段】
本発明は、スケジュールに関する情報と、視聴又は聴取したい放送番組に関する情報とを記憶し、スケジュールに関する情報で示される予定のある時間と、放送番組に関する情報で示される放送時間とが重なるとき、その放送時間が重なる番組の記録予約情報を生成させ、生成された記録予約情報で放送番組記録手段での記録の予約を行うようにしたものであり、スケジュールに関する情報で示される予定のある時間には、その予定のある時間の前又は後に、所定の時間を付加するようにし、その所定の時間が付加された時間と、上記放送番組に関する情報で示される放送時間とが重なるとき、その放送時間が重なる番組の記録予約情報を生成させるようにしたものである。
【００１０】
本発明によると、記憶したスケジュールで示される予定のある時間が、視聴又は聴取したい放送番組の放送時間と重なるとき、自動的にその番組の記録予約情報を生成されて、その記録予約情報に基づいて、該当する番組を記録装置で記録させることが可能になる。
【００１１】
【発明の実施の形態】
以下、添付図面を参照して、本発明の一実施の形態について説明する。
【００１２】
本例においては、ＰＤＡなどと称される携帯用として小型に構成された携帯情報端末１００を用意して、その携帯情報端末１００で個人情報としてのスケジュールの管理を行うようにしたもので、その端末１００でのスケジュールの管理に連動して、放送番組を受信して記録する記録装置での記録予約が行えるようにしたものである。即ち、例えば図１に示すように、携帯情報端末１００と、番組記録（録画）装置としてのビデオテープレコーダ（ＶＴＲ）２００を用意して、ＶＴＲ２００での録画の予約制御が行えるようにしたものである。
【００１３】
携帯情報端末１００からＶＴＲ２００へのデータの伝送については、本例の場合には赤外線信号を使用する。即ち、携帯情報端末１００の赤外線送信部１１９から、ＶＴＲ２００の赤外線受信部２１２に対して赤外線信号を無線送信することで、スケジュール情報（又は録画予約情報）をＶＴＲ２００に転送するようにしてある。
【００１４】
図２は、本例の携帯情報端末１００の内部構成を示したブロック図である。本例の携帯情報端末１００は、各部の動作制御を行う中央制御ユニット（ＣＰＵ）１０１を備え、その中央制御ユニット１０１と内部バスで接続されたＲＯＭ１０２，ＲＡＭ１０３及びグラフィックコントローラ１０４を備える。中央制御ユニット１０１は、この端末に入力された各種情報を整理してＲＡＭ１０３に記憶させ、そのＲＡＭ１０３に記憶された情報をグラフィックコントローラ１０４に接続された表示部１０５で表示させる処理を行う。このように入力して表示される情報としては、例えばこの端末１００を所持するユーザの個人情報としてのスケジュールがある。また、視聴したいテレビ番組などの情報を入力できるようにしても良い。
【００１５】
ＲＯＭ１０２には、情報の取得や表示動作などを行う上で必要なプログラムなどの情報が予め記憶されている。ＲＡＭ１０３は、中央制御ユニット１０１などでの演算処理時のデータの一時記憶や、外部から供給されたデータの記憶などに使用される。なお、これらの記憶手段は、端末１００に内蔵された記憶手段の他に、例えばメモリカードなどの着脱自在な記憶手段を使用しても良い。或いは、ハードディスクなどの磁気的又は光学的に記憶する記憶媒体を使用した記憶手段でも良い。
【００１６】
グラフィックコントローラ１０４は、中央制御ユニット１０１からの指示に基づいて、表示部１０５で図形や文字などを表示させる処理を実行する。表示部１０５は、ここでは液晶表示パネル１０６と、バックライト１０７と、タッチパネル１０８とで構成されて、バックライト１０７で背面から照明された液晶表示パネル１０６に、文字や図形が表示される。液晶表示パネル１０６とバックライト１０７には、ＰＷＭドライバ１０９からの信号により表示状態が調整できる構成としてある。即ち、液晶表示パネル１０６の表示コントラストとバックライト１０７の発光輝度が、ＰＷＭドライバ１０９からの信号により調整される。そして、液晶表示パネル１０６の上に配置されたタッチパネル１０８が、指又は入力用のペンで触れられたとき、その触れられた位置の情報を、アナログ／デジタル変換器１１７を介して中央制御ユニット１０１に供給し、中央制御ユニット１０１がパネル上を触れた位置を判断できるようにしてある。
【００１７】
また本例の携帯情報端末１００は、電源ボタン１１２と、複数の操作ボタン１１３を備えて、中央制御ユニット１０１がそれらのボタン１１２，１１３の操作を判別するようにしてある。また、発光ダイオード１１４を備えて、そのときの端末１００の状態（例えば電源オンの状態，スタンバイ状態など）に応じて中央制御ユニット１０１が発光状態を制御するようにしてある。
【００１８】
また本例の携帯情報端末１００は、赤外線通信コントローラ１１５を備えて、中央制御ユニット１０１からの制御に基づいて、赤外線通信コントローラ１１５に接続された赤外線送信部１１９から所定のデータをコード化した赤外線信号を送信するようにしてある。この赤外線で送信するデータとしては、例えばこの端末１００に入力されて記憶したスケジュールに関する情報がある。また、ここではこの携帯情報端末１００と赤外線で通信を行うＶＴＲ２００の機種を端末１００に予め登録できるようにして、その登録された機種が判別できるコードに赤外線通信コントローラ１１５が変換して、その変換されたコードの赤外線を、赤外線送信部１１９が送信するようにしてる。
【００１９】
また本例の携帯情報端末１００は、中央制御ユニット１０１に接続されたモデム１１６を備えて、このモデム１１６を介して外部の機器と通信を行うことができる構成としてある。即ち、モデム１１６に取付けられた端子１１７に、携帯電話端末などの通信手段をケーブルで接続することで、その接続された通信手段と携帯情報端末１００との間でデータ転送を行うことができる。このデータ転送のためのモデム１１６からのデータ送信及びモデム１１６でのデータ受信は、中央制御ユニット１０１の制御で実行される。
【００２０】
携帯情報端末１００の電源としては、二次電池又は一次電池で構成されるバッテリ１１０を備えて、このバッテリ１１０から取り出された電源電圧を、ＤＣ／ＤＣコンバータ１１１で必要な電圧に変換して、端末１００内の各回路に供給する。このＤＣ／ＤＣコンバータ１１１から各回路への電源の供給は、中央制御ユニット１０１の制御により実行される。
【００２１】
このように構成される携帯情報端末１００の形状としては、例えば図１に示すように、端末１００を構成する筐体の表面のほぼ中央に、液晶表示パネル１０６を備えた表示部１０５が配置してある。そして、表面の下側に電源ボタン１１２及び操作ボタン１１３が配置してあり、表面の上端に発光ダイオード１１４が配置してある。さらに、赤外発光ダイオードなどで構成される赤外線送信部１１９が筐体の所定箇所（ここでは表面の上部）に配置してある。
【００２２】
図３は、本例のＶＴＲ２００の構成を示したブロック図である。本例のＶＴＲ２００は、例えばアンテナ２２１が選局部２０１に接続してあり、選局部２０１で選局されたチャンネルを受信して、そのチャンネルの映像信号，音声信号などを得る。選局部２０１で得られた映像信号や音声信号などは、録画部２０２に供給して、録画部２０２で装着されたビデオテープに記録させる。選局部２０１での選局チャンネルや録画部２０２での録画動作については、録画制御部２０３により制御される。
【００２３】
録画制御部２０３の制御による録画などの動作は、図示しない録画，再生などを指示するキーの直接的な操作による場合の他に、録画予約部２０５の制御による録画予約動作の場合もある。録画予約部２０５は、録画予約動作を制御する中央制御ユニット（ＣＰＵ）２０６と、その中央制御ユニット２０６と内部バスで接続されたＲＯＭ２０７，ＲＡＭ２０８，赤外線通信コントローラ２１０を備える。ＲＯＭ２０７には予約動作に必要なプログラムが記憶させてあり、ＲＡＭ２０８には予約された内容が記憶される。
【００２４】
赤外線通信コントローラ２１０には、赤外線受信部２１２が接続してあり、この受信部２１２が受信した赤外線信号の復調などを行って、伝送された情報を検出し、その検出された受信情報を中央制御ユニット２０６に供給するようにしてある。本例の場合には、赤外線受信部２１２で受信する情報として、ＶＴＲ２００の動作を直接指示するリモートコントロール信号の他に、スケジュール情報や、録画予約情報などがある。中央制御ユニット２０６は、赤外線通信コントローラ２１０を介してスケジュール情報が供給されるとき、その供給されるスケジュールと、このＶＴＲ２００にセットされた録画予約情報とを比較して、録画予約情報を更新（修正）させるようにしてある。この更新処理の詳細については後述する。
【００２５】
なお、この録画予約情報の更新時には、中央制御ユニット２０６が、スケジュールで示される場所と、ＶＴＲ２００が設置された場所との間の移動に要する時間を推定して、その推定した時間を、スケジュールで示される時間の前及び後に付加するようにしてある。この移動に要する時間の推定ができない場合には、このＶＴＲ２００にセットされたデフォルトの値（時間）を付加するようにしてある。このデフォルトの値は、ユーザ操作で自由に設定できるようにしてある。この付加時間に関する処理の詳細については後述する。また、携帯情報端末１００側から移動に要する時間の情報や、デフォルトの時間の情報をもらうようにしても良い。
【００２６】
またＶＴＲ２００は、数字，文字，図形などを表示する表示部２１１を備え、中央制御ユニット２０６の制御でＶＴＲ２００の動作状況などを表示する。この場合、録画予約が行われたときには、その録画予約が行われていることの表示や、予約時間などの予約状況の詳細を表示するようにしてある。
【００２７】
次に、このように構成されるＶＴＲ２００に対する録画予約を、携帯情報端末１００に設定されたスケジュールに関連して行う際の動作を説明する。ここでは、携帯情報端末１００内に予めスケジュールが入力されているものとする。また、ＶＴＲ２００側には、ユーザが視聴したいテレビ放送番組が入力されているものとする。
【００２８】
図４は、携帯情報端末１００に入力されているスケジュールの例を示した図である。ここでは、１項目のスケジュール毎に、項目名（予定項目）と、予定日（月日及び曜日）と、予定の開始時刻と、予定の終了時刻と、予定される場所の情報が入力されているものとする。なお、各予定毎に全ての項目が入力されているとは限らない。例えば、場所の情報が入力されていない場合もあり得る。
【００２９】
図５は、ＶＴＲ２００に入力されている予約録画情報の例を示した図である。
ここでは、ユーザの操作で録画することを確定させた録画予約情報と、そのときのスケジュールに応じて録画される録画予約情報の２種類の予約情報が入力されているものとする。スケジュールに応じて録画される録画予約情報とは、つまりユーザが視聴を希望する番組に関する情報であり、スケジュールと重なって視聴ができないときに録画される番組に関する情報である。
【００３０】
この２種類の録画予約情報は、録画確定フラグを使用して区別するようにしてある。即ち、ユーザの操作で録画することを確定させた録画予約情報については、録画確定フラグを１としてあり、スケジュールに応じて録画される録画予約情報については、録画確定フラグを０としてある。但し、スケジュールに応じて録画される録画予約情報で示される番組が、スケジュールとの比較から録画されるように設定されたときには、録画確定フラグが１の録画予約情報として設定されるようにしてある。
【００３１】
ここでは、それぞれの録画予約情報は、図５に示すように、録画日（月日及び曜日）と、録画開始時刻と、録画終了時刻と、チャンネル番号と、録画確定フラグとで構成されるようにしてある。番組名や内容などの情報が、電子番組情報などから得られる場合には、それらの情報も予約情報に加えるようにしても良い。また、録画日の情報については、毎週の何曜日、毎週の月曜から土曜まで、毎日のような録画日の指示もできるようにしてある。
【００３２】
そして本例では、例えば図５のレコード番号７で示すように、毎週水曜日の２１時００分から２２時００分のチャンネル番号６の放送番組が、視聴希望番組情報として入力されているものとする。このとき、このレコード番号７の録画予約情報の録画確定フラグは０となっている。
【００３３】
このようにしてスケジュールの情報が端末１００に入力され、視聴希望番組の情報がＶＴＲ２００にセットされた状態で、スケジュールの情報をＶＴＲ２００に赤外線で送信したとする。このとき、ＶＴＲ２００内の録画予約部２０５内の中央制御ユニット２０６では、図６のフローチャートに示した処理が実行されて、必要により録画予約情報の生成又は修正が行われる。
【００３４】
以下、図６のフローチャートに従って説明すると、まず情報端末１００から新たにスケジュールの情報をＶＴＲ２００が受信すると（ステップＳ１１）、そのスケジュールで示される予定日と同じ日の録画予約情報（図５に示すような情報：ここではフラグがいずれであるかは考慮しない）が設定されているか否か判断する（ステップＳ１２）。この判断で、同じ日に録画予約情報がない場合には、ここでの予定データ入力に対する録画予約情報の処理を終了する（ステップＳ１３）。
【００３５】
ステップＳ１２でスケジュールと同じ日の録画予約情報があると判断したときには、そのスケジュールに予定場所の情報が登録されているか否か判断する（ステップＳ１４）。この判断で、予定場所の登録がない場合には、予めデフォルトで設定された移動推定時間を、ここでの移動時間とする（ステップＳ１５）。ここでは、デフォルトで設定された移動推定時間として、４５分が設定されているものとする。
【００３６】
またステップＳ１４で、予定場所の登録があり、なおかつその予定場所とＶＴＲ２００の設置場所（即ち自宅）との間の移動に要する時間の推定が可能であるときには、その推定した時間を移動時間とする（ステップＳ１６）。推定ができない場合には、ステップＳ１５に移って、デフォルトで設定された移動推定時間を使用する。
【００３７】
この移動時間の判断をした後、スケジュールと同じ日の録画予約情報の録画開始時刻が、スケジュールで示される予定の終了時刻に、移動時間だけ加えた時刻（ここでの移動時間を加えるとは移動時間だけ後の時刻とすること）よりも後の時刻（又は同じ時刻）であるか否か判断する（ステップＳ１７）。この判断で、後の時刻である場合には、スケジュールが終了して帰宅してから該当する番組の視聴が可能であると判断して、録画確定フラグが０の番組については、録画確定フラグを０のままとする（ステップＳ１８）。録画確定フラグが１の番組については、ユーザが録画させることを選択した番組であるので、そのままフラグを１にしておく。
【００３８】
そして、ステップＳ１７の判断で、録画開始時刻が、スケジュールで示される予定の終了時刻に移動時間を加えた時刻より前の時刻であると判断したときには、さらに録画終了時刻が、スケジュールで示される予定時刻の開始時刻に移動時間だけ加えた時刻（ここでの移動時間を加えるとは移動時間だけ前の時刻とすること）より後の時刻（又は同じ時刻）であるか否か判断する（ステップＳ１９）。このとき、この番組が開始するとき、このスケジュールで示されるユーザは自宅にいないと判断して、該当する録画予約情報の録画確定フラグを０から１に変化させる（ステップＳ２０）。
【００３９】
このとき、該当する録画予約は、毎週などの繰り返しの録画予約であるか否か判断し（ステップＳ２１）、繰り返し録画予約であるとき、スケジュールと重なる日だけの１回の録画予約情報を生成させて、その生成された録画確定フラグ１とする（ステップＳ２２）。この１回の録画予約情報を生成させた場合には、対応した繰り返しの録画予約情報の録画確定フラグは０のままとする。そして、繰り返しの録画予約でない場合には、ステップＳ２０での該当する録画予約情報の録画確定フラグの０から１への変更で、この番組の録画予約に関する処理を終了する。
【００４０】
ここまでの１つの録画予約番組に関する処理が終了すると、ステップＳ１２に戻って、次の録画予約情報の処理に戻る。
【００４１】
ここで、実際に新たなスケジュールが加わって、録画予約情報が更新された例について説明すると、例えば図４に示したスケジュールが、図７に示したスケジュールに更新されたとする。即ち図７の末尾の予定番号１０が新たに入力されて、その予定の日時が１１月２６日（水曜日）の１８時００分から２０時３０分であり、場所が渋谷となっているとする。ここで、渋谷から自宅までの推定移動時間が４０分であるとすると、その移動時間を前後に付加した時間である１７時２０分から２１時１０分までの間に開始する番組の録画予約情報があるとき、その録画予約情報で示される番組の録画確定フラグが１に設定され、該当する番組の録画が確定する。
【００４２】
この例では、このときの録画予約情報として、図５に示したように、レコード番号７の毎週水曜の２１時００分から２２時００分の番組予約が、このスケジュールの予定時間と重なるものと判断されて、その番組に関する録画予約情報が更新される。但し、このときには繰り返しの予約情報てあるので、例えば図８に示すように、レコード番号８として、１１月２６日（水曜日）の２１時００分から２２時００分までのチャンネル番号６の録画予約情報が、録画確定フラグ１で加わり、レコード番号７の繰り返しの予約情報については、録画確定フラグを０のままとする。予定時間と重なる番組が、繰り返しの予約情報でない場合には、その予約情報の録画確定フラグを０から１に変化させる更新処理が行われ、新たな予約情報の付加は行われない。
【００４３】
このようにして録画予約がスケジュールに応じて設定されることで、ユーザが視聴したい番組が、何らかの予定が入って視聴できないとき、その番組の録画予約が自動的に行われることになり、ユーザが見たい番組を見逃すようなことがなくなる。この場合、スケジュールで示された予定時間だけでなく、その予定時間の場所と録画装置の設置場所（自宅など）との移動時間も考慮して、視聴できない状況が判断されるので、より確実に視聴できないことの判断が行われ、良好な自動録画予約が行われる。
【００４４】
なお、一度設定した録画予約が、スケジュールの変更で視聴できると判断される状況に変化したときには、その録画予約を取り消す録画予約解除情報を生成させて、録画予約を解除させても良い。即ち、例えばスケジュールの予定時間との重なりから、録画確定フラグを０から１に変化させた録画予約がある状況で、その原因となったスケジュールが削除されたことに関する情報が、携帯情報端末１００からＶＴＲ２００に伝送されたとき、再度録画確定フラグを１から０に変化させて、録画予約を取り消すようにしても良い。
【００４５】
また、上述した実施の形態では、携帯情報端末１００からＶＴＲ２００へのデータの伝送は赤外線を使用するようにしたが、その他の信号形式でデータ伝送を行うようにしても良い。例えば、本例の携帯情報端末１００には、例えば図９に示すように、携帯情報端末１００の所定箇所（ここでは側面）に端子１１７が配置してあり、この端子１１７を使用して携帯電話端末１２０と接続する。即ち、接続ケーブル１３０の一端のコネクタ１３１を、携帯情報端末１００の端子１１７に接続し、ケーブル１３０の他端のコネクタ１３２を、携帯電話端末１２０の端子に接続して、携帯情報端末１００と携帯電話端末１２０との間で接続ケーブル１３０を介してデータ転送できるようにする。そして、記録装置２００についても、何からの方法で電話回線と接続できるようにする。
【００４６】
このように携帯情報端末１００に接続した携帯電話端末１２０を使用して、携帯情報端末１００が保持するスケジュールなどのデータを電話回線に送出できることで、ＶＴＲ２００側でも電話回線などの通信手段を接続することで、携帯情報端末１００とＶＴＲ２００とが離れた場所にある場合でも、スケジュールや録画予約情報などを端末１００からＶＴＲ２００に伝送することができる。従って、例えばスケジュールの変更などがあった場合でも容易に対処できるようになる。
【００４７】
また、上述した実施の形態では、携帯用として比較的小型に構成された携帯情報端末を使用してスケジュールを管理する場合について説明したが、同様のデータ管理が可能で、なおかつ放送番組の記録装置にデータ伝送（転送）が可能な情報処理端末であれば、どのような機器に適用しても良い。例えば、ノート型などと称される形状のパーソナルコンピュータ装置を使用しても良い。また、ＶＴＲなどの放送番組記録装置そのものが、スケジュール管理機能を持って、その記録装置一台を用意するだけで、上述した携帯情報端末と記録装置の２台を使用した場合と同様の処理が行えるようにしても良い。
【００４８】
また、上述した実施の形態では、情報処理端末で設定されたスケジュールを、記録装置２００に転送させて、記録装置２００側で視聴（録画）が希望された番組との一致を検出させて、その検出に基づいて記録装置２００内で録画予約情報を生成させるようにしたが、携帯情報端末１００側に視聴を希望する番組のデータを入力させて、その端末１００に入力されたスケジュールと視聴希望番組データとの一致判断を端末１００側のコントローラで行い、その結果に基づいて記録が必要と判断した番組の録画予約情報を端末１００内で生成させ、その生成された録画予約情報を赤外線などで記録装置２００に転送させても良い。
【００４９】
図１０は、この場合の録画予約情報を携帯情報端末１００から記録装置２００に送信する際の処理例を示したフローチャートである。まず、携帯情報端末１００でのボタン操作などで、録画予約情報を送信させる操作があると、この端末１００内の記憶手段に記憶されたデータ種別が録画予約情報となっているデータを検索する（ステップＳ３１）。この検索で探し出したデータの種別を判断し（ステップＳ３２）、録画予約情報でないデータである場合には、ステップＳ３１に戻って次のデータ検索に移る。ステップＳ３２で、該当するデータが録画予約情報であると判断したときには、その情報の送信処理に移る。即ち、ここでは、録画の予定日（録画日）の情報の送信と（ステップＳ３３）、予定項目（録画内容）の情報の送信と（ステップＳ３４）、録画の開始時刻の情報の送信と（ステップＳ３５）、録画の終了時刻の情報の送信と（ステップＳ３６）、録画場所（録画するチャンネル）の情報の送信と（ステップＳ３７）、備考情報（例えば録画番組内容の詳細など）の送信と（ステップＳ３８）を行う。これらの送信は、例えば赤外線信号として行われる。
【００５０】
そして、ここまでの送信が終了すると、該当する録画予約情報のレコードを端末１００から削除し（ステップＳ３９）、このレコードが最終レコードであるか否か判断する（ステップＳ４０）。この判断で、最終レコードでないと判断したときには、ステップＳ３１に戻る。ステップＳ４０で最終データであると判断したとき、ここでの録画予約データの送信を終了する。
【００５１】
このようにして、携帯情報端末１００から直接録画予約情報をＶＴＲ２００などの記録装置に伝送するようにしても良い。
【００５２】
また、放送番組の記録装置として、上述した実施の形態では、ＶＴＲを使用した例について説明したが、ＶＴＲ以外の放送番組を記録する記録装置を使用しても良い。例えば、ハードディスクを記録媒体として、テレビジョン放送番組や、その番組に付随するデータを記録する記録装置での記録予約を、上述した処理で実行するようにしても良い。また、ハードディスクなどの大容量記憶媒体が取付けられたパーソナルコンピュータ装置の場合には、そのコンピュータ装置でスケジュール管理を行うと共に、その管理されたスケジュールに基づいて、コンピュータ装置に取り付けられた記憶媒体への放送番組のデータの記録（記憶）予約の制御を行うようにしても良い。
【００５３】
また、上述した実施の形態では、記録する放送番組としては、テレビジョン放送番組としたが、その他の放送番組を記録装置で記録する場合の予約を行うようにしても良い。例えば、ラジオ放送番組の記録を、オーディオ記録装置で行う場合の予約を行うようにしても良い。また、インターネットなどを介して特定の時間に放送（配信）されるプログラム（ビデオプログラム，オーディオプログラムなど）を記録装置で記録する場合に、その記録の予約を上述した処理で行うようにしても良い。
【００５４】
【発明の効果】
本発明によると、記憶したスケジュールで示される予定のある時間が、視聴又は聴取したい放送番組の放送時間と重なるとき、自動的にその番組の記録予約情報を生成されて、該当する番組を記録装置で記録させることが可能になる。従って、スケジュールを端末に入力させるだけで、そのスケジュールの設定により視聴又は聴取できない番組が発生したとき、自動的にその番組を記録できるようになり、スケジュールの管理を行うたけで、記録予約作業などを行うことなく、視聴又は聴取したい放送番組を確実に見る（聞く）ことができるようになる。
【００５５】
特に本発明においては、スケジュールに関する情報で示される予定のある時間には、その予定のある時間の前又は後に、所定の時間を付加するようにし、その所定の時間が付加された時間と、放送番組に関する情報で示される放送時間とが重なるとき、その放送時間が重なる番組の記録予約情報を生成させるようにしたことで、スケジュールで示される予定のある時間にある程度の余裕時間を加えた上で、放送番組の放送時間との重なりが判断されるようになり、より良好に視聴又は聴取できない番組の発生を検出できるようになる。
【００５６】
また、付加される時間は、スケジュールで示される場所と、放送番組記録手段が設置された場所との間の移動に要する時間から推定される時間としたことで、例えば外出先での会議が終了してから、帰宅するまでの時間を加味して、自宅で視聴又は聴取できない状況の発生を判断できるようになり、より確実に記録予約が行えるようになる。
【図面の簡単な説明】
【図１】本発明の一実施の形態によるシステム構成例を示した説明図である。
【図２】本発明の一実施の形態による情報端末の例を示すブロック図である。
【図３】本発明の一実施の形態による記録装置の例を示すブロック図である。
【図４】本発明の一実施の形態によるスケジュールの例を示す説明図である。
【図５】本発明の一実施の形態による視聴リストの例を示す説明図である。
【図６】本発明の一実施の形態による予約データ処理例を示すフローチャートである。
【図７】本発明の一実施の形態によるスケジュールの変化例を示す説明図である。
【図８】本発明の一実施の形態による視聴リストの変化例を示す説明図である。
【図９】本発明の他の実施の形態による接続構成例を示した説明図である。
【図１０】本発明の他の実施の形態による予約データ送信処理例を示すフローチャートである。
【符号の説明】
１００…携帯情報端末、１０１…中央制御ユニット（ＣＰＵ）、１０４…グラフィックコントローラ、１０５…表示部、１０６…液晶表示パネル、１１４…発光ダイオード（ＬＥＤ）、１１５…赤外線通信コントローラ、１１６…モデム、１１７…端子部、１１９…赤外線送信部、１２０…携帯電話端末、１３０…接続ケーブル、２００…ＶＴＲ、２０１…選局部、２０２…録画部、２０３…録画制御部、２０５…録画予約部、２０６…中央制御ユニット（ＣＰＵ）、２０７…ＲＯＭ、２０８…ＲＡＭ、２１０…赤外線通信コントローラ、２１１…表示部、２１２…赤外線受信部
【図１】
0004556350.tif 000002
【図２】
0004556350.tif 000003
【図３】
0004556350.tif 000004
【図４】
0004556350.tif 000005
【図５】
0004556350.tif 000006
【図６】
0004556350.tif 000007
【図７】
0004556350.tif 000008
【図８】
0004556350.tif 000009
【図９】
0004556350.tif 000010
【図１０】
0004556350.tif 000011